(57)【特許請求の範囲】
【請求項１】
主走査方向に延びるＣＣＤの取付構造であって、
固定配置される主走査方向に長手の部材であり、長手方向の両端近傍に直立する一対の挿通突部を有する取付ベースと、
上記ＣＣＤが取り付けられる主走査方向に長手の部材であり、上記挿通突部に対応する位置に、挿通突部が挿通可能な一対の挿通孔が形成された下板を有する取付部材と、
上記挿通孔に挿通された挿通突部に取り付けられ、上記取付部材を上記取付ベース側へと押圧する一対のばねであって、それぞれ、上記挿通突部に取り付けられる主板と、主板の対向する一対の側辺から平面視で副走査方向に延びるように突出し、先端が上記取付部材の上面に当接する一対の脚板とを備え、側面形状が３つの部分に折れ曲がったアーチ状であり、上記一対の脚板のうち一方の脚板の先端には、上記取付部材に対して上記ばねを位置決めするための位置決め突起が形成された一対のばねと、
上記取付ベースの長手方向の両端近傍にねじ込まれ、取付ベースに対する取付部材の高さを決めるために、上記下板の下面に当接する当接面を有する一対の高さ調節ねじとを含み、
上記一対の高さ調節ねじを締めると、上記当接面が下がって上記取付部材が上記一対のばねの押圧力により下がり、上記一対の高さ調節ねじを緩めると、上記当接面が上がって上記取付部材が上記一対のばねの押圧力に抗して持ち上がるようになっていることを特徴とするＣＣＤの取付構造。
【請求項２】
原稿の反射光を導く光学系と、
上記反射光を結像するための受光面を有するＣＣＤとを含む画像読取装置であって、
請求項１記載のＣＣＤの取付構造が備えられていることを特徴とする画像読取装置。
【発明の詳細な説明】
【０００１】
【発明の属する技術分野】
本発明は、ＣＣＤを取り付けるための取付構造およびその構造が採用された画像読取装置に関する。
【０００２】
【従来の技術】
従来、デジタル式の複写機やスキャナなどには、原稿を読み取るための画像読取装置が備えられている。この種の画像読取装置では、例えば光源がコンタクトガラス上に載置された原稿を照射しつつ移動し、原稿からの反射光を複数の反射鏡により反射させ、その反射光をレンズにより収束させてＣＣＤへと導き、ＣＣＤの受光面に原稿の光学像を結像することにより原稿の読取りが行われる。
【０００３】
原稿の読取りを良好に行うため、ＣＣＤはレンズからの光が受光面の中心軸に入射されるように位置決めされなければならない。そこで、従来のＣＣＤの取付構造では、ＣＣＤの高さを調節できるような構成になっている。
図４は、従来のＣＣＤ６０の取付構造を示す分解斜視図である。ＣＣＤ６０は板状の基板６１に取り付けられていて、この基板６１は取付ベース５１、取付部材５２、ばね６６およびねじ６７により保持板５０に取り付けられる。
【０００４】
保持板５０上には、主走査方向に長手の取付ベース５１が配置される。取付ベース５１は、保持板５０上に固定された下板５３と、下板５３の一側辺５３ａから直立する外側片５４と、外側片５４の上側辺５４ａから下板５３と同方向に平行に突出した上板５５とからなる断面略コ字形形状の板状部材である。下板５３の主走査方向の両端５３ｂ、５３ｃ近傍には、一対のねじ孔５７が形成されている。また、上板５５には、下板５３の一対のねじ孔５７に対応する位置に、主走査方向に延びる長孔６２が形成されている。
【０００５】
取付ベース５１上には、主走査方向に長手の取付部材５２が配置される。取付部材５２は、上板５８と、上板５８の一側辺５８ａから垂直に垂れ下がった外側片５９とからなる断面略逆Ｌ字形形状の板状部材である。上板５８には、取付ベース５１の上板５５の長孔６２に対応する位置に、主走査方向に延びる長孔６３が形成されている。外側片５９の内側の主表面６９には、位置決め用の突起６４が突出している。取付ベース５１の外側片５４には、突起６４に対応する位置に上下方向に延びる長孔６５が形成されていて、突起６４は長孔６５に沿って上下方向に摺動可能に嵌め入れられる。これにより、ＣＣＤ６０の主走査方向の位置決めが達成される。
【０００６】
取付ベース５１の上板５５と取付部材５２の上板５８との間には、その軸心が長孔６２とそれに対応する長孔６３とを通るように、一対の圧縮コイルばね６６が配置される。一対の高さ調節ねじ６７が、取付部材５２の長孔６３、圧縮コイルばね６６および取付ベース５１の長孔６２を通ってねじ孔５７にねじ込まれることにより、取付部材５２が取付ベース５１に取り付けられる。
取付ベース５１の外側片５４の両側端面５４ｂ、５４ｃには、断面略Ｌ字形形状の一対の押えばね６８が設けられていて、取付部材５２の外側片５９を取付ベース５２の外側片５４に密着させるようになっている。
【０００７】
取付部材５２の外側片５９および取付ベース５１の外側片５４には、ＣＣＤ６０に対応する位置に貫通孔７０、７１が形成されている。基板６１が取付部材５２の所定位置に取り付けられることにより、原稿の反射光は貫通孔７１、７０を通ってＣＣＤ６０の受光面６０ａに受光される。
このＣＣＤ６０の取付構造では、高さ調節ねじ６７を締め付け、または緩めることにより、取付部材５２を上下方向に変位させ、原稿の反射光をＣＣＤ６０の受光面６０ａの中心軸に入射するように調節することができる。高さ調節ねじ６７を締めてＣＣＤ６０の高さを低くした場合には、高さ調節ねじ６７のねじ締め力が大きい上に、圧縮コイルばね６６の縮み量が大きいのでばね押圧力が大きい。したがって、取付部材５２のがたが小さく振動に強い。
【０００８】
【発明が解決しようとする課題】
しかしながら、高さ調節ねじ６７を緩めてＣＣＤ６０の高さを高くした場合には、高さ調節ねじ６７のねじ締め力が小さい上に、圧縮コイルばね６６の縮み量が小さいのでばね押圧力が小さい。したがって、取付部材５２のがたが大きく振動に弱い。
この場合、ＣＣＤ６０の受光面６０ａに結像される光学像を良好に読み取ることができず、例えば文字ぶれ等が生じるおそれがある。
【０００９】
本発明は、かかる背景のもとでなされたもので、振動に強いＣＣＤの取付構造およびその構造が採用された画像読取装置を提供することを目的とする。
【００１０】
【課題を解決するための手段および発明の効果】
上記の目的を達成するための請求項１記載の発明は、主走査方向に延びるＣＣＤの取付構造であって、固定配置される主走査方向に長手の部材であり、長手方向の両端近傍に直立する一対の挿通突部を有する取付ベースと、上記ＣＣＤが取り付けられる主走査方向に長手の部材であり、上記挿通突部に対応する位置に、挿通突部が挿通可能な一対の挿通孔が形成された下板を有する取付部材と、上記挿通孔に挿通された挿通突部に取り付けられ、上記取付部材を上記取付ベース側へと押圧する一対のばねであって、それぞれ、上記挿通突部に取り付けられる主板と、主板の対向する一対の側辺から平面視で副走査方向に延びるように突出し、先端が上記取付部材の上面に当接する一対の脚板とを備え、側面形状が３つの部分に折れ曲がったアーチ状であり、上記一対の脚板のうち一方の脚板の先端には、上記取付部材に対して上記ばねを位置決めするための位置決め突起が形成された一対のばねと、上記取付ベースの長手方向の両端近傍にねじ込まれ、取付ベースに対する取付部材の高さを決めるために、上記下板の下面に当接する当接面を有する一対の高さ調節ねじとを含み、上記一対の高さ調節ねじを締めると、上記当接面が下がって上記取付部材が上記一対のばねの押圧力により下がり、上記一対の高さ調節ねじを緩めると、上記当接面が上がって上記取付部材が上記一対のばねの押圧力に抗して持ち上がるようになっていることを特徴とするＣＣＤの取付構造である。
【００１１】
この構成によれば、高さ調節ねじを締めると、当接面が下がって取付部材がばねの押圧力により下がり、ＣＣＤの高さが低くなる。このとき、取付ベースと取付部材の下板との間隔が狭まるので取付部材のがたが小さく振動に強い。一方、高さ調節ねじを緩めると、当接面が上がって取付部材がばねの押圧力に抗して持ち上がり、ＣＣＤの高さが高くなる。このとき、ばねの縮み量が大きくばね押圧力が大きいので、取付部材のがたが小さく振動に強い。したがって、ＣＣＤの高さが高い場合と低い場合との両方で振動に強いＣＣＤの取付構造を提供することができる。
また、平面視で副走査方向に延びる一対の脚板がそれぞれ取付部材を弾性的に押圧するので、取付部材が副走査方向にがたつくのを防止できる。したがって、さらに振動に強いＣＣＤの取付構造を提供することができる。
【００１２】
また、請求項２記載の発明は、原稿の反射光を導く光学系と、上記反射光を結像するための受光面を有するＣＣＤとを含む画像読取装置であって、請求項１記載のＣＣＤの取付構造が備えられていることを特徴とする画像読取装置である。
【００１３】
この構成によれば、上記効果を奏するＣＣＤの取付構造が採用された画像読取装置を提供することができる。この画像読取装置では、ＣＣＤの受光面に結像される光学像を良好に読み取ることができ、文字ぶれ等を防止できる。
【００１４】
【発明の実施の形態】
以下には、図面を参照して、本発明の実施形態について具体的に説明する。
図１（ａ）は、本発明の一実施形態にかかる画像読取装置を備えた複写機１の内部構成の一部を示す概略断面図である。複写機１の上部には、光学系２およびＣＣＤ３を備えた画像読取装置としての画像読取ユニット４が配置されている。画像読取ユニット４は、箱状のハウジング５を有していて、ハウジング５の中に光学系２およびＣＣＤ３が収容されている。光学系２の上方には、原稿の載置台となる透明なコンタクトガラス１７が配置されている。
【００１５】
光学系２には、主走査方向（図１（ａ）において紙面に垂直な方向）に長手の光源６、原稿からの反射光を反射させる第１反射鏡７、第２反射鏡８および第３反射鏡９、第３反射鏡９の反射光をＣＣＤ３の受光面３１に結像させるレンズ１０が含まれている。
ＣＣＤ３は、主走査方向に長手であって、ハウジング５の底板５ａに固定された保持板１１上に配置されている。ＣＣＤ３の受光面３１は、第３反射鏡９側に向けられている。
【００１６】
複写が行われる際には、光源６が原稿を照射しつつ副走査方向（図１（ａ）において左右方向）に移動する。原稿の反射光は、第１反射鏡７、第２反射鏡８、第３反射鏡９およびレンズ１０によりＣＣＤ３へと導かれ、ＣＣＤ３の受光面３１に原稿像が結像される。光源６の移動時には、第１反射鏡７は光源６と共に移動し、第２反射鏡８および第３反射鏡９は光源６と同じ方向に半分の速さで移動する。これにより、原稿からＣＣＤ３に至る光路長が一定に保たれる。ＣＣＤ３による電気的な主走査と、光源６などの副走査方向への移動による原稿の副走査との組合せにより原稿の読取りが行われる。
【００１７】
ＣＣＤ３で読み取られた画像データは、図示しない画像処理部でデジタルデータに変換された後、ＬＳＵ（レーザースキャニングユニット）に送られ、レーザー光が画像信号に従って主帯電済みの感光体表面にＯＮ、ＯＦＦ照射されることにより感光体表面にいわゆる静電潜像が形成される。感光体表面の静電潜像は、図示しない現像部によりトナー像に現像され、このトナー像が用紙に転写されることにより画像が形成される。
【００１８】
図１（ｂ）は、図１（ａ）の光学的配置を示す模式図である。画像読取領域長ＲＬＮは、コンタクトガラス１７の主走査方向の幅以下でなければならない。レンズ１０は、コンタクトガラス１７上の原稿読取領域長ＲＬＮに相当する線分をＣＣＤ３の受光面３１の全幅に投影することができる位置に配置されている。縮小・拡大コピーは、レンズ１０、第２反射鏡８および第３反射鏡９の所定量の移動により行われるか、あるいは図示しない画像処理部でのデジタルデータ処理により行われる。
【００１９】
原稿の読取りを良好に行うため、ＣＣＤ３はレンズ１０からの光が受光面３１の中心軸に入射されるように位置決めされなければならない。
図２は、ＣＣＤ３の取付構造を示す分解斜視図である。ＣＣＤ３は板状の基板１２に取り付けられていて、この基板１２は取付ベース１３、取付部材１４、ばね２２およびねじ２６、３６、４０により保持板１１に取り付けられる。保持板１１には、主走査方向に並ぶ一対のねじ孔１１Ｂが形成されている。
【００２０】
保持板１１上には、主走査方向に長手の板状の取付ベース１３が配置される。取付ベース１３には、保持板１１のねじ孔１１Ｂに対応する位置に、副走査方向に延びる一対の挿通孔１６が形成されている。取付板１３は、その一対の挿通孔１６を通して保持板１１のねじ孔１１Ｂにねじ４０をそれぞれ締め付けることにより、保持板１１上に位置決めされる。また、取付ベース１３には、各挿通孔１６の外側に円柱状の挿通突部２８の下端面２８ｂが結合されている。挿通突部２８の上端面２８ａには、ねじ孔２７が形成されている。
【００２１】
取付ベース１３上には、主走査方向に長手の取付部材１４が配置される。取付部材１４は、下板１８と、下板１８の一側辺１８ｂから直立した外側片１９とからなる断面略Ｌ字形形状の板状部材である。
外側片１９には、基板１２を固定するための固定部３２が形成されている。固定部３２には、基板１２に形成された挿通孔３３に対応する位置に図示しないねじ孔が形成されていて、挿通孔３３を通してこのねじ孔にねじを締め付けることにより基板１２が固定される。外側片１９には、ＣＣＤ３の受光面３１に対応する位置に貫通孔３４が形成されていて、原稿の反射光は貫通孔３４を通って受光面３１により受光される。
【００２２】
下板１８には、取付ベース１３の挿通突部２８に対応する位置に、挿通孔２０ａ、２０ｂが形成されている。挿通孔２０ａ、２０ｂのうち、一方（図２で示す手前側）の挿通孔２０ａは、取付部材１４の主走査方向へのスライドを規制して、ＣＣＤ３の主走査方向への位置決めを行うためのものである。他方（図２で示す奥側）の挿通孔２０ｂは、主走査方向に延びる長孔である。挿通孔２０ａの径および挿通孔２０ｂの副走査方向の幅は、取付ベース１３の挿通突部２８の外径に略一致している。挿通孔２０ａ、２０ｂには、それぞれ挿通突部２８が下方から挿通される。
【００２３】
挿通孔２０ａ、２０ｂに挿通された挿通突部２８の上端面２８ａには、それぞれ上方からばね２２が配置される。ばね２２は、上端面２８ａに当接する矩形の主板２３と、主板２３の４つの側辺のうち対向する一対の側辺から突出した一対の脚板２４とを備え、側面形状が３つの部分に折れ曲がったアーチ状である。
主板２３の略中央には挿通孔２５が形成されていて、この挿通孔２５を通してねじ孔２７に取付ねじ２６が締め付けられることにより、ばね２２が取り付けられる。
【００２４】
脚板２４は、平面視で副走査方向に延びるように配置されていて、その先端２４ａは、それぞれ主走査方向に平行な状態で下板１８の上面に当接している。外側片１９側の脚板２４の先端２４ａには位置決め突起２９が形成されていて、下板１８と外側片１９との結合部近傍の位置決め突起２９に対応する位置に形成された貫通孔３０に、位置決め突起２９が嵌め入れられることにより、ばね２２が位置決めされる。
【００２５】
取付ベース１３には、各挿通突部２８の外側に一対のねじ孔３５が形成されている。ねじ孔３５には高さ調節ねじ３６が上方からねじ込まれていて、取付ベース１３と下板１８との間に高さ調節ねじ３６が介在している。高さ調節ねじ３６には、ねじ孔３５にねじ込まれる軸部３７と、軸部３７の上端に形成された円柱状の頭部３８と、頭部３８の下縁から円周方向に張出した当接面としてのフランジ３９とが含まれている。
【００２６】
下板１８には、高さ調節ねじ３６の頭部３８に対応する位置に、その径が頭部３８の外径に略一致する挿通孔４１が形成されている。高さ調節ねじ３６は、その頭部３８が挿通孔４１に挿通され、フランジ３９の上面が下板１８の下面に当接した状態で、ばね２２により下方に押圧された下板１８を下方から支持している。
本実施形態では、平面視で副走査方向に延びる一対の脚板２４がそれぞれ取付部材１４を弾性的に押圧するので、取付部材１４が副走査方向にがたつくのを防止できる。
【００２７】
図３は、ＣＣＤ３の取付構造を示す概略側面図である。このＣＣＤ３の取付構造では、高さ調節ねじ３６を締め付け、あるいは緩めることによりＣＣＤ３の高さを調節し、レンズ１０からの光が受光面３１の中心軸に入射されるように位置決めすることができる。
ＣＣＤ３の高さを低くする場合、高さ調節ねじ３６を締めることによりフランジ３９が下がる。これに伴って、取付部材１４の下板１８が、ばね２２の脚板２４によって押圧されて下がり、図３（ａ）に示すような状態になる。この状態では、図３（ｂ）に示す状態と比較して取付ベース１３と取付部材１４の下板１８との間隔が狭まるので、取付部材１４のがたが小さく振動に強い。
【００２８】
ＣＣＤ３の高さを高くする場合、高さ調節ねじ３６を緩めることによりフランジ３９が上がる。これに伴って、取付部材１４の下板１８がばね２２の押圧力に抗して持ち上げられ、図３（ｂ）に示すような状態になる。この状態では、ばね２２の縮み量が大きくばね押圧力が大きいので、取付部材１４のがたが小さく振動に強い。
本発明の特徴は、上述のようにＣＣＤ３の高さが高い場合と低い場合との両方で振動に強い構成となっている点にある。このＣＣＤ３の取付構造が採用された画像読取装置では、ＣＣＤ３の受光面３１に結像される光学像を良好に読み取ることができ、文字ぶれ等を防止できる。
【００２９】
本発明は、以上の実施形態の内容に限定されるものではなく、請求項記載の範囲内において種々の変更が可能である。例えば、本実施形態では、ハウジング５の底板５ａに保持板１１を固定配置し、この保持板１１にＣＣＤ３を取り付ける構成について説明したが、保持板１１を省略し、例えばハウジング５の底板５ａにＣＣＤ３を取り付ける構成などであってもよい。
ばね２２は、上述のような形状に限らず、例えば圧縮コイルばねなどであってもよい。この場合、挿通孔２０ａ、２０ｂに挿通された挿通突部２８に一対の圧縮コイルばねを被せ、挿通突部２８のねじ孔２７に例えば頭部の径が圧縮コイルばねの径よりも大きい取付ねじを締め付けることにより、圧縮コイルばねの上端を規制すればよい。この構成においても、ＣＣＤ３の高さが高い場合と低い場合との両方で振動に強い取付構造となる。
【００３０】
また、本実施形態では、取付部材１４の外側片１９にＣＣＤ３を取り付ける構成について説明したが、外側片１９を省略し、例えば下板１８にＣＣＤ３を取り付ける構成などであってもよい。
【図面の簡単な説明】
【図１】画像読取ユニットの構成を示す図である。
【図２】ＣＣＤの取付構造を示す分解斜視図である。
【図３】ＣＣＤの取付構造を示す概略側面図である。
【図４】従来のＣＣＤの取付構造を示す分解斜視図である。
【符号の説明】
２      光学系
３      ＣＣＤ
４      画像読取ユニット（画像読取装置）
１３    取付ベース
１４    取付部材
１８    下板
２０ａ  挿通孔
２０ｂ  挿通孔
２２    ばね
２３    主板
２４    脚板
２４ａ  先端
２８    挿通突部
３１    受光面
３６    高さ調節ねじ
３９    フランジ（当接面）
【図１】
0003612476.tif 000002
【図２】
0003612476.tif 000003
【図３】
0003612476.tif 000004
【図４】
0003612476.tif 000005